(57)【要約】【課題】無段変速機用ベルトの耐久性を向上させる。【解決手段】本発明の動力伝達ベルト１６は、無端帯状のリングが積層されて構成された積層リング２２と、それぞれ板状に形成されて互いに板厚方向に重ねられると共に、積層リング２２の周方向に配列され、且つ、積層リング２２が巻き掛けられた肩部２８を有する複数のエレメント２４と、を備えている。各エレメント２４において、肩部２８における積層リング２２との接触面３２は、エレメント２４の板厚方向における中央側の領域３２Ａの方が両端側の領域３２Ｂよりも摩擦係数が高く設定されている。【選択図】図２
2011202742.tif 000002
【特許請求の範囲】
【請求項１】
無端帯状のリングが積層されて構成された積層リングと、
それぞれ板状に形成されて互いに板厚方向に重ねられると共に、前記積層リングの周方向に配列され、且つ、前記積層リングが巻き掛けられた肩部を有する複数のエレメントと、
を備え、
前記肩部における前記積層リングとの接触面は、前記エレメントの板厚方向における中央側の領域の方が両端側の領域よりも摩擦係数が高く設定されている、
無段変速機用ベルト。
【請求項２】
駆動プーリ及び従動プーリと、
前記駆動プーリ及び前記従動プーリに巻き掛けられ、前記駆動プーリから前記従動プーリへ動力を伝達する請求項１に記載の無段変速機用ベルトと、
を備えた無段変速機。
【発明の詳細な説明】
【技術分野】
【０００１】
本発明は、無段変速機を構成する駆動プーリ及び従動プーリに巻き掛けられ、駆動プーリから従動プーリへ動力を伝達する無段変速機用ベルト及びそれを備えた無段変速機に関する。
【背景技術】
【０００２】
従来、無段変速機用ベルトとしては、次のものが知られている（例えば、特許文献１参照）。すなわち、この特許文献１に記載の例では、ブロック（エレメント）の摩耗を抑制するために、ブロックとリングとの間の摩擦係数が、溝の幅方向一方側で相対的に大きく、他方側で相対的に小さく設定されている。
【先行技術文献】
【特許文献】
【０００３】
【特許文献１】特開２００７−１０７５８６号公報
【特許文献２】特開平１１−１１７９９８号公報
【発明の概要】
【発明が解決しようとする課題】
【０００４】
しかしながら、この種の無段変速機用ベルトにおいては、掛かり径が大きい場合には、外層のリングと内層のリング、及び、最内層のリングとエレメントは、同角速度で回転するが、掛かり径が小さい場合には、外層のリングと内層のリングとの間、又は、最内層のリングとエレメントとの間で滑りが生じる。
【０００５】
ところが、掛かり径が小さい場合に、最内層のリングとエレメントとの動きの関係が崩れる場合があり、この場合には、結果として最内層のリングの張力が一部分で大きくなり、無段変速機用ベルトの耐久性が低下する虞がある。
【０００６】
本発明は、上記課題に鑑みてなされたものであって、耐久性を向上させることができる無段変速機用ベルト及び無段変速機を提供することを目的とする。
【課題を解決するための手段】
【０００７】
前記課題を解決するために、請求項１に記載の無段変速機用ベルトは、無端帯状のリングが積層されて構成された積層リングと、それぞれ板状に形成されて互いに板厚方向に重ねられると共に、前記積層リングの周方向に配列され、且つ、前記積層リングが巻き掛けられた肩部を有する複数のエレメントと、を備え、前記肩部における前記積層リングとの接触面は、前記エレメントの板厚方向における中央側の領域の方が両端側の領域よりも摩擦係数が高く設定されている。
【０００８】
この無段変速機用ベルトによれば、掛かり径が大きい場合には、接触面における摩擦係数の大きい板厚方向中央側の領域が最内層のリングと接触するので、最内層のリングとエレメントとを同角速度で回転させることができる。一方、掛かり径が小さい場合には、接触面における摩擦係数の小さい板厚方向両端側の領域が最内層のリングと接触するので、最内層のリングとエレメントとの間に滑りを生じさせることができる。
【０００９】
これにより、最内層のリングの張力が一部分で大きくなることを抑制することができるので、無段変速機用ベルトの耐久性を向上させることができる。
【００１０】
また、前記課題を解決するために、請求項２に記載の無段変速機は、駆動プーリ及び従動プーリと、前記駆動プーリ及び前記従動プーリに巻き掛けられ、前記駆動プーリから前記従動プーリへ動力を伝達する請求項１に記載の無段変速機用ベルトと、を備えている。
【００１１】
この無段変速機用ベルトによれば、請求項１に記載の無段変速機用ベルトを備えているので、耐久性を向上させることができる。
【発明の効果】
【００１２】
以上詳述したように、本発明によれば、耐久性を向上させることができる。
【図面の簡単な説明】
【００１３】
【図１】本発明の一実施形態に係る動力伝達ベルトを備えた無段変速機の側面図である。
【図２】図１に示される動力伝達ベルトの要部の構成を示す斜視図である。
【図３】図２に示されるエレメントに形成された肩部の側面図である。
【図４】図２に示される動力伝達ベルトの掛かり径が大きい場合におけるエレメントの肩部と最内層のリングとの接触状態を説明する図である。
【図５】図２に示される動力伝達ベルトの掛かり径が小さい場合におけるエレメントの肩部と最内層のリングとの接触状態を説明する図である。
【発明を実施するための形態】
【００１４】
以下、図面を参照しながら、本発明の一実施形態について説明する。
【００１５】
図１に示されるように、本発明の一実施形態に係る無段変速機１０は、駆動プーリ１２と、従動プーリ１４と、無段変速機用ベルトとしての動力伝達ベルト１６とを備えている。駆動プーリ１２及び従動プーリ１４は、回転軸１８，２０にそれぞれ一体回動可能に設けられており、動力伝達ベルト１６は、駆動プーリ１２及び従動プーリ１４に巻き掛けられている。
【００１６】
そして、この無段変速機１０では、駆動プーリ１２が回転されると、この駆動プーリ１２の動力が動力伝達ベルト１６によって従動プーリ１４に伝達され、従動プーリ１４が回転されるようになっている。また、駆動プーリ１２及び従動プーリ１４の有効径が調節されることにより、変速比が変化されると共に、動力伝達ベルト１６における駆動プーリ１２及び従動プーリ１４との掛かり径が変化されるようになっている。
【００１７】
動力伝達ベルト１６は、図２に示されるように、一対の積層リング２２と、複数のエレメント２４とを有して構成されている。積層リング２２は、それぞれ無端帯状に形成された複数のリングが互いの厚さ方向に積層されて構成されている。一方、複数のエレメント２４は、それぞれ板状に形成されて、互いに板厚方向に重ねられると共に、積層リング２２の周方向に配列されている。
【００１８】
各エレメント２４には、頭部２６と肩部２８との間に溝部３０が形成されており、各溝部３０に積層リング２２が挿入されて、この積層リング２２と頭部２６及び肩部２８とが係合されることにより、各エレメント２４は、積層リング２２に支持されている。また、この積層リング２２が肩部２８に巻き掛けられることにより、各エレメント２４は、上述の駆動プーリ１２及び従動プーリ１４（図１参照）にそれぞれ押し付けられている。
【００１９】
また、各エレメント２４の肩部２８における積層リング２２との接触面３２は、図３に示されるように、エレメント２４の板厚方向における中央側の領域３２Ａの方が両端側の領域３２Ｂよりも摩擦係数が高く設定されている。
【００２０】
つまり、接触面３２における板厚方向中央側の領域３２Ａは、例えば、レーザ加工等が施されることにより、その表面粗さがＲａ＝３．２〜２５μｍ程度に設定されている。一方、接触面３２における板厚方向両端側の領域３２Ｂは、例えば、タングステンカーバイトなどの低摩擦化被膜や油膜等が形成されることにより、その表面粗さがＲａ＝０．１μｍ以下に設定されている。
【００２１】
なお、接触面３２における板厚方向中央側の領域３２Ａの方が板厚方向両端側の領域３２Ｂよりも摩擦係数が高く設定されていれば、その表面処理方法は、上記以外でも良い。
【００２２】
次に、図４，図５を参照しながら、本発明の一実施形態の作用及び効果について説明する。
【００２３】
なお、図４，図５では、理解の容易のために、積層リング２２が想像線（二点鎖線）で示されると共に、積層リング２２の曲率が誇張して示されている。
【００２４】
上述の本発明の一実施形態によれば、図４に示されるように、動力伝達ベルト１６の掛かり径が大きい場合には、接触面３２における摩擦係数の大きい板厚方向中央側の領域３２Ａが最内層のリングと接触するので、最内層のリングとエレメント２４とを同角速度で回転させることができる。一方、図５に示されるように、動力伝達ベルト１６の掛かり径が小さい場合には、接触面３２における摩擦係数の小さい板厚方向両端側の領域３２Ｂが最内層のリングと接触するので、最内層のリングとエレメント２４との間に滑りを生じさせることができる。
【００２５】
これにより、最内層のリングの張力が一部分で大きくなることを抑制することができるので、動力伝達ベルト１６の耐久性を向上させることができる。
【００２６】
以上、本発明の一実施形態について説明したが、本発明は、上記に限定されるものでなく、上記以外にも、その主旨を逸脱しない範囲内において種々変形して実施可能であることは勿論である。
【符号の説明】
【００２７】
１０  無段変速機
１２  駆動プーリ
１４  従動プーリ
１６  動力伝達ベルト（無段変速機用ベルト）
２２  積層リング
２４  エレメント
２８  肩部
３２  接触面
３２Ａ  中央側の領域
３２Ｂ  両端側の領域
【図１】
2011202742.tif 000003
【図２】
2011202742.tif 000004
【図３】
2011202742.tif 000005
【図４】
2011202742.tif 000006
【図５】
2011202742.tif 000007